(57)【要約】【課題】  テキストデータの文字サイズや文字数、あるいは画像データの縦、横サイズなどを意識することなく印刷物を印刷するサービスを受けることができるようにする。【解決手段】  通信網を介して印刷注文ユーザーから送信された印刷物情報の内容を解析する情報解析手段と、前記解析された結果に基づいて、前記印刷物情報を印刷するのに適した印刷物作成素材を検索する印刷物作成素材検索手段と、前記検索された印刷物作成素材に、前記送信された印刷物情報を自動的にレイアウトして印刷製品候補を作成する印刷製品候補作成手段と、前記作成された印刷製品候補を、前記ユーザーに送信する印刷製品候補送信手段と、前記ユーザーの指定に応じて印刷製品を決定する印刷製品決定手段と、前記決定した印刷製品候補を印刷して印刷製品を作成する印刷製品作成段と、前記作成する印刷製品に対する課金処理を行う料金処理手段とを備える。【選択図】  図１
2005222149.tif 000002
【特許請求の範囲】
【請求項１】
通信網を介して印刷注文ユーザーから送信された印刷物情報の内容を解析する情報解析手段と、
前記情報解析手段によって解析された結果に基づいて、前記印刷物情報を印刷するのに適した印刷物作成素材をデータベースから検索する印刷物作成素材検索手段と、
前記印刷物作成素材検索手段によって検索された印刷物作成素材に、前記送信された印刷物情報をレイアウトして印刷製品候補を作成する印刷製品候補作成手段と、
前記作成された印刷製品候補を、前記印刷注文ユーザーの端末装置に送信する印刷製品候補送信手段と、
前記通信網を介して接続されたユーザーの指定に応じて印刷製品を決定する印刷製品決定手段と、
前記ユーザーにより指定された印刷製品候補を印刷して印刷製品を作成する印刷製品作成手段と、
前記印刷製品作成手段により作成される印刷製品に対する料金処理を行う料金処理手段とを有することを特徴とする情報処理装置。
【請求項２】
前記通信網を介して素材登録ユーザーが前記印刷物作成素材を前記データベースに登録する印刷物作成素材登録手段を有することを特徴とする請求項１に記載の情報処理装置。
【請求項３】
前記料金処理手段は、前記印刷製品を前記印刷注文ユーザーに送付する際に課金処理を行うことを特徴とする請求項１または２に記載の情報処理装置。
【請求項４】
前記料金処理手段は、前記素材登録ユーザーが前記データベースに印刷物作成素材を登録した際、または前記データベースに登録した印刷物作成素材が印刷製品に使用されることが決定された際の何れかに課金処理を行うことを特徴とする請求項１〜３の何れか１項に記載の情報処理装置。
【請求項５】
前記料金処理手段は、素材登録ユーザーが登録した印刷物作成素材が印刷製品を作成する印刷物作成素材として利用された際に、前記素材登録ユーザーに利用料を支払う素材利用料支払い処理を行うことを特徴とする請求項２〜４の何れか１項に記載の情報処理装置。
【請求項６】
前記通信網を介して前記ユーザーとの間で行なわれるデータ通信は、GUI(Graphical User Interface)で構成したアプリケーションベースのインターフェースを介して行なわれることを特徴とする請求項１〜５の何れか１項に記載の情報処理装置。
【請求項７】
前記通信網を介して前記ユーザーとの間で行われるデータ通信は、マークアップランゲージを利用して構成したＷｅｂブラウザベースのインターフェースを介して行なわれることを特徴とする請求項１〜５の何れか１項に記載の情報処理装置。
【請求項８】
前記通信網を介して前記ユーザーが送受信可能なデータは、テキストデータ、XMLデータを含むことを特徴とする請求項１〜７の何れか１項に記載の情報処理装置。
【請求項９】
前記通信網はインターネットを含んだネットワーク通信網であることを特徴とする請求項１〜８の何れか１項に記載の情報処理装置。
【請求項１０】
前記各手段は、Blue Tooth接続で相互の通信を行うことを特徴とする請求項１〜９の何れか１項に記載の情報処理装置。
【請求項１１】
前記印刷物作成素材登録手段は、前記印刷物作成素材を、前記素材登録ユーザーがそのまま自分で利用できるデータとして登録する場合と、登録した本人以外の人が利用できるデータとして登録する場合とに分けて登録することを特徴とする請求項２〜１０の何れか１項に記載の情報処理装置。
【請求項１２】
前記情報解析手段は、送信された印刷物情報の内容を解析する際に、XMLデータを読み込み、タグ構造を解釈して前記印刷物情報の中身の情報を取得可能であることを特徴とする請求項１〜１１の何れか１項に記載の情報処理装置。
【請求項１３】
前記情報解析手段は、バイナリデータを読み込み、前記印刷物情報のサイズを含む印刷物情報を取得することを特徴とする請求項１〜１２の何れか１項に記載の情報処理装置。
【請求項１４】
前記通信網を介して受信したデータは、前記情報解析手段による解析処理の結果から、データを１つにまとめられるか、データ同士を関連付けられるか、あるいはXML化されて前記データベースに登録されることを特徴とする請求項１〜１３の何れか１項に記載の情報処理装置。
【請求項１５】
前記データベースは、登録した本人がすぐに使用する印刷物作成素材を保存する領域と、登録した本人以外のユーザーが利用可能な印刷物作成素材を保存する領域とを有し、前記各印刷物作成素材を別々に保存することを特徴とする請求項１〜１４の何れか１項に記載の情報処理装置。
【請求項１６】
前記印刷物作成素材登録手段は、前記印刷物作成素材をジャンル別に分類して前記データベースに保存することを特徴とする請求項１〜１５の何れか１項に記載の情報処理装置。
【請求項１７】
前記請求項１〜１６の何れか１項に記載の情報処理装置と、印刷注文ユーザーの端末装置と、素材登録ユーザーの端末装置とが通信網を介して接続されていることを特徴とする印刷物作成システム。
【請求項１８】
通信網を介して印刷注文ユーザーから送信された印刷物情報の内容を解析する情報解析工程と、
前記情報解析工程によって解析された結果に基づいて、前記印刷物情報を印刷するのに適した印刷物作成素材をデータベースから検索する印刷物作成素材検索工程と、
前記印刷物作成素材検索工程によって検索された印刷物作成素材に、前記送信された印刷物情報をレイアウトして印刷製品候補を作成する印刷製品候補作成工程と、
前記作成された印刷製品候補を、前記印刷注文ユーザーの端末装置に送信する印刷製品候補送信工程と、
前記通信網を介して接続されたユーザーの指定に応じて印刷製品を決定する印刷製品決定工程と、
前記ユーザーにより指定された印刷製品候補を印刷して印刷製品を作成する印刷製品作成工程と、
前記印刷製品作成工程により作成される印刷製品に対する料金処理を行う料金処理工程とを有することを特徴とする情報処理方法。
【請求項１９】
前記通信網を介して素材登録ユーザーが前記印刷物作成素材を前記データベースに登録する印刷物作成素材登録工程を有することを特徴とする請求項１８に記載の情報処理方法。
【請求項２０】
前記印刷製品を前記印刷注文ユーザーに送付する際に課金処理を行うことを特徴とする請求項１８または１９に記載の情報処理方法。
【請求項２１】
前記素材登録ユーザーが前記データベースに印刷物作成素材を登録した際、または前記データベースに登録した印刷物作成素材が印刷製品に使用されることが決定された際の何れかに課金処理を行うことを特徴とする請求項１８〜２０の何れか１項に記載の情報処理方法。
【請求項２２】
前記素材登録ユーザーが登録した印刷物作成素材が印刷製品を作成する印刷物作成素材として利用された際に、前記素材登録ユーザーに利用料を支払う素材利用料支払い処理を行うことを特徴とする請求項１９〜２１の何れか１項に記載の情報処理方法。
【請求項２３】
通信網を介して印刷注文ユーザーから送信された印刷物情報の内容を解析する情報解析工程と、
前記情報解析工程によって解析された結果に基づいて、前記印刷物情報を印刷するのに適した印刷物作成素材をデータベースから検索する印刷物作成素材検索工程と、
前記印刷物作成素材検索工程によって検索された印刷物作成素材に、前記送信された印刷物情報をレイアウトして印刷製品候補を作成する印刷製品候補作成工程と、
前記作成された印刷製品候補を、前記印刷注文ユーザーの端末装置に送信する印刷製品候補送信工程と、
前記通信網を介して接続されたユーザーの指定に応じて印刷製品を決定する印刷製品決定工程と、
前記ユーザーにより指定された印刷製品候補を印刷して印刷製品を作成する印刷製品作成工程と、
前記印刷製品作成工程により作成される印刷製品に対する料金処理を行う料金処理工程とをコンピュータに実行させることを特徴とするコンピュータプログラム。
【請求項２４】
前記請求項２３に記載のコンピュータプログラムを記録したことを特徴とするコンピュータ読み取り可能な記録媒体。
【発明の詳細な説明】
【技術分野】
【０００１】
本発明は情報処理装置、印刷物作成システム及び情報処理方法に関し、特に、インターネットを利用した印刷サービスを行うためのネットワークサービスに用いて好適な技術に関する。
【背景技術】
【０００２】
従来、例えば、ユーザーが、インターネットを利用した年賀状、招待状、案内状等の印刷物の印刷サービスを受ける場合、これらの印刷物に、印刷させたい画像等のバイナリデータや、テキストデータを、サービスを行っている業者のサーバーにユーザーが、アップロードする。
【０００３】
そして、前記サービス業者が独自で用意した数種のレイアウト固定テンプレートの中から所望のテンプレートを選択したり、サービス業者が独自で用意したイラスト等の素材を使用したければ、それらも選択したりして、ユーザー側が用意したデータと、サービス業者側が用意したテンプレートと素材を組み合わせて整形されたものを、ユーザーが確認して印刷を注文していた（特許文献１参照）。
【０００４】
【特許文献１】特開平１０−３１３３９９号公報
【発明の開示】
【発明が解決しようとする課題】
【０００５】
このように、ユーザーがサービス業者にアップロードするデータを作成する際に、データの表示幅などが決められた固定のレイアウトテンプレートに収まるように、テキストデータの文字サイズや文字数、あるいは画像データの縦、横サイズなどを意識して、データを作成しなければいけないので、ユーザーにとって非常に手間がかかる問題点があった。また、サービス業者が独自で用意した素材だけでは、素材の種類や数が限られてしまい、ユーザーの多様なニーズを満たす素材が必ずしもあるとは言えなかった。
【０００６】
また、ユーザーの中には、素材として使用されるデータを作成するのが上手なユーザーがいて、作成した素材を有償にて広く提供したいと思っているが、その機会が殆どないのが現状であった。
本発明は前述の問題点にかんがみ、テキストデータの文字サイズや文字数、あるいは画像データの縦、横サイズなどを意識することなく、年賀状、招待状、案内状等の印刷物を印刷するサービスを受けることができるようにすることを第１の目的とする。
また、通信網を介した印刷サービスにおいて、多くの素材を提供できるようにして、印刷サービスを受けるユーザーの多様なニーズを満足させることができるようにするとともに、ユーザーが作成した素材を販売する機会を提供できるようにすることを第２の目的とする。
【課題を解決するための手段】
【０００７】
本発明の情報処理装置は、通信網を介して印刷注文ユーザーから送信された印刷物情報の内容を解析する情報解析手段と、前記情報解析手段によって解析された結果に基づいて、前記印刷物情報を印刷するのに適した印刷物作成素材をデータベースから検索する印刷物作成素材検索手段と、前記印刷物作成素材検索手段によって検索された印刷物作成素材に、前記送信された印刷物情報をレイアウトして印刷製品候補を作成する印刷製品候補作成手段と、前記作成された印刷製品候補を、前記印刷注文ユーザーの端末装置に送信する印刷製品候補送信手段と、前記通信網を介して接続されたユーザーの指定に応じて印刷製品を決定する印刷製品決定手段と、前記ユーザーにより指定された印刷製品候補を印刷して印刷製品を作成する印刷製品作成段と、前記印刷製品作成手段により作成される印刷製品に対する料金処理を行う料金処理手段とを有することを特徴としている。
【０００８】
本発明の印刷物作成システムは、前記の何れかに記載の情報処理装置と、印刷注文ユーザーの端末装置と、素材登録ユーザーの端末装置とが通信網を介して接続されていることを特徴としている。
【０００９】
本発明の情報処理方法は、通信網を介して印刷注文ユーザーから送信された印刷物情報の内容を解析する情報解析工程と、前記情報解析工程によって解析された結果に基づいて、前記印刷物情報を印刷するのに適した印刷物作成素材をデータベースから検索する印刷物作成素材検索工程と、前記印刷物作成素材検索工程によって検索された印刷物作成素材に、前記送信された印刷物情報をレイアウトして印刷製品候補を作成する印刷製品候補作成工程と、前記作成された印刷製品候補を、前記印刷注文ユーザーの端末装置に送信する印刷製品候補送信工程と、前記通信網を介して接続されたユーザーの指定に応じて印刷製品を決定する印刷製品決定工程と、前記ユーザーにより指定された印刷製品候補を印刷して印刷製品を作成する印刷製品作成工程と、前記印刷製品作成工程により作成される印刷製品に対する料金処理を行う料金処理工程とを有することを特徴としている。
【００１０】
本発明のコンピュータプログラムは、通信網を介して印刷注文ユーザーから送信された印刷物情報の内容を解析する情報解析工程と、前記情報解析工程によって解析された結果に基づいて、前記印刷物情報を印刷するのに適した印刷物作成素材をデータベースから検索する印刷物作成素材検索工程と、前記印刷物作成素材検索工程によって検索された印刷物作成素材に、前記送信された印刷物情報をレイアウトして印刷製品候補を作成する印刷製品候補作成工程と、前記作成された印刷製品候補を、前記通信網を介してユーザーの端末装置に送信する印刷製品候補送信工程と、前記通信網を介して接続されたユーザーの指定に応じて印刷製品を決定する印刷製品決定工程と、前記ユーザーにより指定された印刷製品候補を印刷して印刷製品を作成する印刷製品作成工程と、前記印刷製品作成工程により作成される印刷製品に対する料金処理を行う料金処理工程とをコンピュータに実行させることを特徴としている。
【００１１】
本発明の記録媒体は、前記に記載のコンピュータプログラムを記録したことを特徴としている。
【発明の効果】
【００１２】
本発明により、ユーザーは、通信網を介してアップロードする印刷物情報を、レイアウトを意識することなく作成することができるので、アップロードする印刷物情報自体を微調整するなどの手間を省くことができる。これにより、ネットワークサービスを利用して、年賀状、招待状、案内状等の印刷物の印刷サービスを受ける際の効率を大幅に向上することができる。
また、本発明の他の特徴によれば、印刷サービスを利用するユーザーの多様なニーズに幅広く応えることができるとともに、印刷物の素材を作成するユーザーに対して魅力的なビジネスチャンスを提供することができる。
【発明を実施するための最良の形態】
【００１３】
（第１の実施の形態）
図１は、本発明の情報処理装置、印刷物作成システム及び情報処理方法の第１の実施の形態を示し、サービスモデルの一例を示す図である。
図１において、１０１はサービス提供業者側の印刷サービス装置である。１０２は印刷注文ユーザーであって、ネットワーク印刷サービスに対して印刷を注文するユーザーである。１０３は素材登録ユーザーであって、ネットワーク印刷サービスに対して素材として自分の作成、あるいは準備したデータを登録するユーザーである。
【００１４】
前記印刷注文ユーザー１０２、及び素材登録ユーザー１０３は、図１中の第１の経路（ネットワーク）１０４でI/F１０５を利用する。印刷注文ユーザー１０２は、印刷サービス装置１０１に対し、I/F１０５を利用して、印刷希望のデータのアップロード、テキストデータの入力を行う。また、印刷サービス装置１０１側から提供する素材群の中から利用したいデータの選択、及び印刷レイアウトの表示結果の確認、及び印刷注文の指示等の操作を行う。
【００１５】
素材登録ユーザー１０３は、前記印刷サービス装置１０１に対して、I/F１０５を利用して、素材として登録するデータに、そのデータがどのジャンルに属するかの情報をテキストで付加して、アップロードする操作等を行う。本実施の形態においては、前述のように、共通のI/F１０５から、ユーザーがネットワーク印刷サービスに対して、注文するのか、登録するのかを任意に選べるようにしている。
【００１６】
これらの入力通知、選択通知、アップロード通知等は、第２の経路１０６、インターネット１０７、第３の経路１０８を介して、サーバー１０９へ通知される。サーバー１０９内にあるデータ登録装置１１０が、これらの通知を受け取り、それぞれの通知内容を解釈し、それぞれに対する処理を行う。
【００１７】
次に、印刷注文ユーザー１０２が印刷物の注文をした場合の処理の流れを説明する。
サーバー１０９は、印刷注文ユーザー１０２からの印刷指示を受けると、サーバー１０９内のデータ登録装置１１０が、印刷注文ユーザー１０２がアップロードしたバイナリデータを、第３の経路１０８で、インターネット１０７を経由し、第４の経路１１１で、データ一時保存領域１１２に格納する。
【００１８】
印刷サービス装置１０１から提供する素材群の中から利用したいデータの選択指示があれば、データ保存領域１１４にジャンル別に素材を格納してある領域から、第５の経路１１３を利用し、インターネット１０７経由で、素材を取りだす。
【００１９】
図１中のデータ保存領域１１４は、ネットワーク印刷サービス提供業者が素材として独自で作成したデータ、及び素材登録ユーザー１０３によって登録されたデータをジャンルに分けて格納できる領域である。
【００２０】
印刷に必要な全てのデータが揃ったら、データ解析及びまとめ部１１５が、テキストデータであれば、文字数、文字サイズなど、バイナリデータであって、例えば、画像データであれば、画像サイズ、画像の種類などを判別するなどといった解析を行い、XML（extensible markup language）で数種のパターンにまとめ（まとめた結果例を、図２に示す）、データ自動レイアウト出力装置１１６に出力し、レイアウト指示を出す。
【００２１】
それらのデータを受け取ったデータ自動レイアウト出力装置１１６は、数種のレイアウト結果を、インターネット１０７経由で、I/F１０５を利用して、印刷注文ユーザー１０２にフィードバックする。印刷注文ユーザー１０２は、このレイアウト結果を確認して、どのレイアウト構成で印刷するかを決めて印刷指示を出す。
【００２２】
印刷指示を受け取ったサーバー１０９は、このレイアウト結果を印刷機器に対応したデータに変換し、第６の経路１１８で印刷機器１１９に対して出力する。それと同時に、課金及び支払い管理装置１１７に対して、印刷の注文を受けたこと通知し、印刷注文ユーザー１０２に対しての課金処理が行われる。そうすることで、サービス業者側で印刷したものを、印刷注文ユーザー１０２宅に送ったり、印刷注文ユーザー１０２により指定された場所に送ったりすることを行うといったサービスも可能である。
【００２３】
次に、素材登録ユーザー１０３が、データを登録する場合の処理の流れを説明する。サーバー１０９は、素材登録ユーザー１０３から、登録の指示を受けると、サーバー１０９内のデータ登録装置１１０に対して登録指示の通知が行き、このデータ登録装置１１０が、素材登録ユーザー１０３がアップロードしたバイナリデータを、素材登録ユーザー１０３が登録時に付加したジャンルの情報を元に、第３の経路１０８で、インターネット１０７を経由し、第５の経路１１３を利用して、データ保存領域１１４内のジャンルに適合する部分に格納する。
【００２４】
この格納されたデータが、印刷注文ユーザー１０２によって、初めて素材として利用されたとき、サーバー１０９内の、課金及び支払い管理装置１１７が、素材登録ユーザー１０３に対して、ネットワーク印刷サービスにデータを登録した事に対する課金通知を行う。それと同時に、データが利用された事に対しての使用料を印刷サービス装置１０１から、素材登録ユーザー１０３へ支払うことを行う。以後、同じデータが印刷注文ユーザー１０２によって利用された場合は、登録料の課金は行わず、素材登録ユーザー１０３に対して印刷サービス装置１０１から使用料の支払いのみが行われる。
【００２５】
図２は、データ解析及びまとめ部１１５が、データを解析し、その解析結果を元に数種のXMLデータとしてまとめた一例を示す図である。
図２において、２０１はXMLデータであり、<personal>タグ内で、印刷注文ユーザー１０２がアップロードした画像を解析して出した画像サイズや画像の名前等をまとめている。
【００２６】
そして、印刷注文ユーザー１０２がI/F１０５を利用して入力したテキストデータを、コメントとして<comment>タグで入れ子として挿入し、印刷注文ユーザー１０２がアップロードしたデータとしてXMLで構成したものである。
【００２７】
その際に、<data link>タグにおいて、２０２のデータ一時保存領域に格納してある印刷注文ユーザー１０２がアップロードしたデータ、２０３の画像データ）の場所を指し示すリンクパスなどもXMLデータに付加する。
【００２８】
また、<sozai>タグ内では、サービス業者が独自で作成したデータ、または、素材登録ユーザー１０３が作成して登録したデータの解析結果をまとめ、<data link>タグで、データ保存領域２０４に格納してあるデータ（素材画像データ２０５）の場所を指し示すリンクパスなどもXMLデータに付加する。
【００２９】
２０６は、XMLデータ２０１に記述した、バイナリデータ、素材データ、テキストデータは、そのままで、XMLのタグ構造、順番、入れ子の関係などを変更したものである。このように、同じデータを扱うにしても、XMLの構造のパターンを何種類か自動的に作成し、前記データ自動レイアウト出力装置１１６に出力することで、数種のレイアウト結果が得られる。
【００３０】
図３は、ネットワーク印刷サービスにおける代金の流れを示したものであり、図４は代金決済処理が行われる流れを説明するフローチャートである。
印刷注文ユーザー３０１は、サービス提供業者３０２によって作成された印刷物を、図３中の３０３で示した第１の経路で受け取ると（ステップＳ４０１）、第２の経路３０４で、その印刷物に対する料金を支払う（ステップＳ４０２）。このとき、素材登録ユーザー３０５が登録したデータが、印刷注文ユーザー３０１によって利用されたら、そのデータが初めて利用されたときに限り、素材登録ユーザー３０５に、第３の経路３０６でサービス提供業者側に登録料を払ってもらう（ステップＳ４０３）。
【００３１】
また、それと同時に、第４の経路３０７で、サービス提供業者３０２側から素材登録ユーザー３０５に対して登録データが利用されたことに対する対価を支払うようにする（ステップＳ４０４）。
【００３２】
そして、素材登録ユーザー３０５の登録したデータが、印刷注文ユーザー３０１に利用されるのが２回以上になったら、素材登録ユーザー３０５からサービス提供業者３０２に対しての登録料は発生せず、サービス提供業者３０２側から素材登録ユーザー３０５に対しての支払いのみが行われる。このようなサービスを行うことで、印刷注文ユーザー３０１、サービス提供業者３０２、素材登録ユーザー３０５の３者間において、ビジネスモデルが確立できる。
【００３３】
図５に、印刷注文ユーザー５０１とサービス提供業者５０２との間で行われる情報の授受の具体例を示す。
図５に示したように、前記印刷注文ユーザー５０１からサービス提供業者５０２に印刷物情報５０３を送信する。前記印刷物情報５０３はテキストデータ５０３ａ及びイメージデータ５０３ｂによって構成されている。
【００３４】
本実施の形態の印刷物作成システムにおいては、前記印刷物情報５０３を作成する際に、レイアウトテンプレートに収まるように、イメージデータ５０３ｂの文字サイズや文字数、あるいはイメージデータ５０３ｂの縦、横サイズなどを意識することなく自由に作成することができる。
【００３５】
前記印刷物情報５０３を受信したサービス提供業者５０２は、前述した処理を行うことにより、印刷製品候補５０４を生成する。前記印刷製品候補５０４は、図５の例では第１の印刷製品候補５０４ａ、第２の印刷製品候補５０４ｂ、及び第３の印刷製品候補５０４ｃを有しているが、印刷製品候補の個数は任意である。
【００３６】
前記印刷製品候補５０４を受け取った印刷注文ユーザー５０１は、前記第１の印刷製品候補５０４ａ、第２の印刷製品候補５０４ｂ、及び第３の印刷製品候補５０４ｃの中から気に入った印刷製品候補を指定して印刷注文を出せばよい。また、気に入った印刷製品候補５０４が無い場合には、その旨をサービス提供業者５０２に通知して別の印刷製品候補を作成してもらうことができる。
【００３７】
前述したように、本実施の形態の印刷物作成システムによれば、年賀状、招待状、案内状等の印刷物が欲しい場合に、テキストデータ５０３ａの文字サイズや文字数、あるいはイメージデータ５０３ｂの縦、横サイズなどを意識することなく印刷物情報５０３を自由に作成することができ、しかも、最終的に注文する印刷製品を確認することができる。
【００３８】
図６に、印刷注文ユーザー１０２（３０１、５０１）及び素材登録ユーザー１０３（３０５）を構成可能なコンピュータシステムの一例を示す。
図６において、１３００はコンピュータＰＣである。ＰＣ１３００は、ＣＰＵ１３０１を備え、ＲＯＭ１３０２またはハードディスク（ＨＤ）１３１１に記憶された、あるいはフレキシブルディスクドライブ（ＦＤ）１３１２より供給されるデバイス制御ソフトウェアを実行し、システムバス１３０４に接続される各デバイスを総括的に制御する。
【００３９】
前記ＰＣ１３００のＣＰＵ１３０１，ＲＯＭ１３０２またはハードディスク（ＨＤ）１３１１に記憶されたプログラムにより、本実施の形態の各機能手段が構成される。
【００４０】
１３０３はＲＡＭで、ＣＰＵ１３０１の主メモリ、ワークエリア等として機能する。１３０５はキーボードコントローラ（ＫＢＣ）であり、キーボード（ＫＢ）１３０９から入力される信号をシステム本体内に入力する制御を行う。１３０６は表示コントローラ（ＣＲＴＣ）であり、表示装置（ＣＲＴ）１３１０上の表示制御を行う。１３０７はディスクコントローラ（ＤＫＣ）で、ブートプログラム（起動プログラム：パソコンのハードやソフトの実行（動作）を開始するプログラム）、複数のアプリケーション、編集ファイル、ユーザファイルそしてネットワーク管理プログラム等を記憶するハードディスク（ＨＤ）１３１１、及びフレキシブルディスク（ＦＤ）１３１２とのアクセスを制御する。
【００４１】
１３０８はネットワークインタフェースカード（ＮＩＣ）で、ＬＡＮ１３２０を介して、ネットワークプリンタ、他のネットワーク機器、あるいは他のＰＣと双方向のデータのやり取りを行う。
【００４２】
（第２の実施の形態）
前述した実施の形態中のI/F１０５において、印刷注文ユーザー１０２が、サーバー１０９に対してアップロードしたデータを、印刷注文後、そのまま、それらのデータを素材として登録する通知機能を用意し、データ一時保存領域１１２から、データ保存領域１１４にデータを移動することで、印刷注文ユーザー１０２が素材登録ユーザー１０３になることを可能としたものである。
【００４３】
（第３の実施の形態）
前記第１の実施の形態中のデータ登録装置１１０において、登録されたデータが、一定期間使用されなければ、登録データを削除し、素材登録ユーザー１０３に対して削除の通知を行うことで、データ保存領域の効率的な使用を可能としたものである。
【００４４】
（本発明の他の実施形態）
前述した実施形態の機能を実現するべく各種のデバイスを動作させるように、前記各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００４５】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００４６】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれる。
【００４７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれる。
【図面の簡単な説明】
【００４８】
【図１】本発明の情報処理装置、印刷物作成システム及び情報処理方法の実施の形態を示し、サービスモデルの一例を示す図である。
【図２】データ解析及びまとめ部がデータを解析し、その解析結果を元に数種のXMLデータとしてまとめた一例を示す図である。
【図３】ネットワーク印刷サービスにおける代金の流れを示した図である。
【図４】代金決済処理が行われる手順を示したフローチャートである。
【図５】印刷注文ユーザーとサービス提供業者との間で行われる情報の送受信の具体例を説明する図である。
【図６】印刷注文ユーザー及び素材登録ユーザーの端末装置の構成例を説明するブロック図である。
【符号の説明】
【００４９】
１０３  素材登録ユーザー
１０４  ネットワーク
１０５  I/F
１０６  ネットワーク
１０７  インターネット
１０８  ネットワーク
１０９  サーバー
１１０  データ登録装置
１１１  ネットワーク
１１２  データ一時保存領域
１１３  ネットワーク
１１４  データ保存領域
１１５  データ解析及びまとめ部
１１６  データ自動レイアウト出力装置
１１７  課金及び支払い管理装置
１１８  ネットワーク
１１９  印刷機器
２０１  XMLデータ
２０２  データ一時保存領域
２０３  アップロードデータ
２０４  データ保存領域
２０５  アップロードデータ
２０６  XMLデータ
【図１】
2005222149.tif 000003
【図２】
2005222149.tif 000004
【図３】
2005222149.tif 000005
【図４】
2005222149.tif 000006
【図５】
2005222149.tif 000007
【図６】
2005222149.tif 000008